(57)【要約】【課題】超音波発振機で霧化した薬剤を広範囲に拡散させることができる害虫防除装置を提供することである。【解決手段】内部にファン７が設置され薬剤の拡散が妨げられないように内部を拡散用空気が流通する器体１と、この器体１内に設置され害虫防除液４を収容した害虫防除液収容体５と、この害虫防除液収容体５内の害虫防除液４を霧化させるための超音波発振機６とを備えた害虫防除装置であり、害虫防除液収容体５から霧化した薬剤はファン７によって室内に拡散される。また、ファン７に代えて、室内の気流や、器体内の空気流路に上昇気流を発生させるための熱源などを利用して、霧化した薬剤を室内に拡散させるようにすると、装置の小型化をも図ることができる。【選択図】  図１
2004236508.tif 000002
【特許請求の範囲】
【請求項１】
薬剤の拡散が妨げられないように内部を拡散用空気が流通する器体と、この器体内に設置され害虫防除剤を収容した収容体と、この収容体内の害虫防除剤を揮散させるための超音波発振機とを備えたことを特徴とする害虫防除装置。
【請求項２】
前記器体内に、空気を強制的に流通させるためのファンが設置されている請求項１記載の害虫防除装置。
【請求項３】
前記器体に通電用のプラグが該器体から出没自在に取付けられている請求項１または２記載の害虫防除装置。
【請求項４】
前記器体に吊り下げ手段または壁掛け手段が設けられている請求項１〜３のいずれかに記載の害虫防除装置。
【請求項５】
前記器体が室内の天井近くに設置されている請求項１〜４のいずれかに記載の害虫防除装置。
【請求項６】
前記器体内の空気流路に、上昇気流を発生させるための熱源が設けられている請求項１〜５のいずれかに記載の害虫防除装置。
【請求項７】
前記器体が送風機の気流内に設置され、器体内を送風機の気流が通過する請求項１、３，４または５記載の害虫防除装置。
【請求項８】
前記収容体と超音波発振機の振動子との間に、収容体から振動子へ害虫防除剤を供給するための手段を設けた請求項１〜７のいずれかに記載の害虫防除装置。
【発明の詳細な説明】
【０００１】
【発明の属する技術分野】
本発明は、超音波発振機で薬剤を揮散させ室内に有効成分を拡散させると共に、器体の小型化をも可能とした害虫防除装置に関する。
【０００２】
【従来の技術】
従来、害虫用の殺虫液を蒸散させる方法としては、吸液芯を用いて殺虫液を吸い上げ加熱蒸散させる方法、繊維板などの多孔質基材（固形マット）に吸着させた殺虫剤を加熱して揮散させる方法、ファンの回転による風力で殺虫剤を揮散させる方法などが知られている。しかしながら、加熱蒸散方法では加熱温度が高温であるため熱分解しやすい殺虫剤は使用できないという問題があり、風力による揮散方法では、蒸気圧の低い殺虫剤は揮散しにくいという問題があった。
【０００３】
一方、殺虫剤を含有した殺虫液を超音波発振機により霧化させ空中に揮散させる方法が提案されている（特許文献１および特許文献２参照）。上記殺虫液は油溶性の殺虫剤を灯油などの有機溶媒に溶解または分散させるか、あるいは水を溶媒とし、これに殺虫剤を乳化させた乳化液の形態で使用される。また、超音波を利用して殺虫剤や芳香剤を蒸発させる超音波式の液体蒸発装置も提案されている（特許文献３参照）。
【０００４】
【特許文献１】
特公昭５７−６１３８８号公報
【特許文献２】
特開昭５２−６６０号公報
【特許文献３】
特開平８−２１５３０８号公報
【０００５】
【発明が解決しようとする課題】
しかしながら、上記のような超音波発振機を利用する害虫防除装置では、霧の状態が見えるようにすることに力点が置かれていたため、害虫防除装置として使用するには十分満足出来るものではなかった。特に薬剤を効率よく室内に拡散させるためには、超音波発振機で薬剤を揮散させ、有効成分を室内の適度に高い箇所に存在させることが必要である。例えば、揮散した薬剤を室内の適度に高い箇所に存在させると殺虫効力が高まる。ところが、従来の超音波発振機を利用する害虫防除装置では、拡散性が悪いため、薬剤を室内の高い箇所に存在させることができなかった。
【０００６】
したがって、本発明の主たる目的は、超音波発振機で薬剤を揮散させ、室内に有効成分を広範囲に拡散させることができる害虫防除装置を提供することである。
本発明の他の目的は、器体の小型化が可能な害虫防除装置を提供することである。
【０００７】
【課題を解決するための手段】
本発明者らは、上記課題を解決すべく鋭意検討を重ねた結果、薬剤を器体内で霧化させると共に、この器体内に薬剤の拡散がさまたげられないように拡散用空気の流路を生じさせる場合には、霧化した薬剤が気流に乗って器体外に拡散されるため、室内に有効成分を広範囲に拡散させることができるという新たな事実を見出し、本発明を完成するに至った。
【０００８】
すなわち、本発明の害虫防除装置は、以下のように構成される。
（１）薬剤の拡散がさまたげられないように内部を拡散用空気が流通する器体と、この器体内に設置され害虫防除剤を収容した収容体と、この収容体内の害虫防除剤を揮散させるための超音波発振機とを備えたことを特徴とする害虫防除装置。
（２）前記器体内に、空気を強制的に流通させるためのファンが設置されている（１）記載の害虫防除装置。
（３）前記器体に通電用のプラグが該器体から出没自在に取付けられている（１）または（２）記載の害虫防除装置。
（４）前記器体に吊り下げ手段または壁掛け手段が設けられている（１）〜（３）のいずれかに記載の害虫防除装置。
（５）前記器体が室内の天井近くに設置されている（４）記載の害虫防除装置。
（６）  前記器体内の空気流路に、上昇気流を発生させるための熱源が設けられている（１）〜（４）のいずれかに記載の害虫防除装置。
（７）前記器体が送風機の気流内に設置され、器体内を送風機の気流が通過する（１）、（３）、（４）または（５）記載の害虫防除装置。
（８）前記害虫防除液収容体と超音波発振機（振動子）の振動子との間に、害虫防除液収容体から振動子へ害虫防除剤を供給するための手段を設けた（１）〜（７）のいずれかに記載の害虫防除装置。
【０００９】
上記（１）〜（８）に使用する器体は、
通電用のプラグが器体から出没自在に取付けできる、
天井から吊るせる、
壁掛けできる、
熱源を利用できる、
回路、接続線、接続端子、発振機自体が発生する熱を利用できる、
拡散用ファンを利用できる、
エアコン、扇風機に取付けできる、及び
エアコン、扇風機の近傍に置いて使用できる（ファンを省略したもの）
などのうち少なくとも１つを備えたもので、請求項記載の構成を有し、かつ請求項の記載に基づく機能を奏するものであればよい。
【００１０】
上記（２）に使用するファンにはピエゾファンも包含される。好ましくは、霧化と同時にピエゾファンなどで気流をも生じさせるように、圧電素子等を用いる超音波発振機の振動部を兼用型や複数にするなどにより、空気と薬剤の両方を振動させるようにしてもよい。これにより、薬剤の霧化と拡散とが可能となり、装置の小型化が図れる。
【００１１】
上記（６）の熱源としては、超音波発振機の回路部分の他、超音波発振機自体、接続線、接続端子などのように、通電により熱を発生するものを有効利用するのが好ましい。本発明における器体は、これらへの通電により発生する熱を有効利用できるような構成を有するのがよく、例えば器体の上下通気口が外気に連通し、器体内の空気流路内に、若しくは空気流路が活かせるように発振機、回路、接続線、接続端子などの熱源となりうるものが設けられる。好ましくは、熱源を散在させるなどして前記気流が乱れないように、例えば熱源を連続的若しくは断続的に配置するのがよい。
【００１２】
本発明における害虫防除剤には、溶液、乳化液、分散液などの形態（具体的には後述する害虫防除液）のほか、結晶または固体の害虫防除剤原体をも包含する。霧化（揮散）しにくい化合物でも、超音波発振機の出力を上げること、すなわち該発振機の振動周波数を上げることで霧化拡散と共に殺虫効力の向上が期待できる。
【００１３】
【発明の実施の形態】
＜第１の実施形態＞
図１は本発明にかかる害虫防除装置の第１の実施形態を示す概略断面図である。この害虫防除装置は、図１に示すように、上下に通気口２，３を有する筒形の器体１の内部に、害虫防除液４を入れた収容体５が設置されている。収容体５の底部には超音波発振機６が付設される。超音波発振機６は収容体５の底部に接触する振動子を有しており、振動子の振動に伴ない収容体５内の害虫防除液４を霧化させる。通気口２，３は、網、多孔板などのメッシュ状の通気板で塞がれていてもよい。
【００１４】
収容体５の下方には拡散用ファン７が設置されており、このファン７を駆動させることにより、通気口２から入って器体１内を上昇し、通気口３から排出される空気の流路が形成される（空気の流れ方向を矢印Ａで示す）。このような流路を確保することでファンの能力を最小限に抑えることができる。すなわち、拡散用ファン７は有効成分の拡散に必要な風量が確保できるファンであり、例えば６畳空間で風量が０．１〜１０Ｌ／秒、実際には０．１〜１．５Ｌ／秒程度であればよい。床面積４０ｍ２の飲食店などでも４Ｌ／秒程度の風量でよい。
【００１５】
本発明における超音波発振機６とは、例えば圧電効果や磁気歪効果などを用いて超音波を発生する機器をいう。そして、収容体５の害虫防除液４と接する箇所を振動させるように、収容体の一面ないし一部が変形可能なシートもしくは薄板か、微多孔性の薄板もしくは膜か、収容体の一部がゴムとかバネ板などで構成されているのがよい。
【００１６】
なお、器体１が、超音波発振機の回路のみならず、超音波発振機自体、接続線、接続端子などへの通電により発生する熱を有効利用できるような構成を有する場合には、当該熱により器体１内を流通する上昇気流が発生するので、ファンを省略してもよい。この場合には装置の小型化が可能になるという利点がある。
【００１７】
超音波によって収容体５から霧化した薬剤の微粒子は器体１内の気流の流路によって器体１の上部通気口３から排出されて室内の上方に運ばれ、ついで有効成分が室内に広く拡散する。このため、従来の超音波霧化装置に比べて、殺虫効力を飛躍的に向上させることができる。
【００１８】
ここで、霧化した薬剤の粒子径は、その中央粒子径（別名：平均粒子径、ザウター平均径または体面積平均径）が３〜８μｍ程度であるのがよい。粒子径は超音波発振機６の振動数を変化させることによって任意に調節することができる。超音波発振機６の振動数は、実施可能な限り何ら制限されないが、１〜３ＭＨｚ、好ましくは１．５〜２．５ＭＨｚ程度、出力は１〜８０Ｗ、好ましくは１〜６０Ｗ程度に調節するのがよい。後述する水溶性害虫防除剤を使用する場合、溶媒となる水は振動数が５０〜１６０Ｈｚの範囲である。つまり、超音波発振機の振動数が１〜３ＭＨｚに対し、水の振動数が５０〜１６０Ｈｚであるから、前者の高周波と後者の低周波との組合せを一例として挙げられる。勿論本発明は実施可能な限り、この組合せに何ら制限されるものではない。
【００１９】
器体１には、超音波発振機６やファン７の駆動源（図示せず）に通電するための回動プラグ８が取付けられている。この回動プラグ８は、図１に示すように、器体１に下部通気口２を通って回動自在に取付けられている。このため、同図に実線で示すように回動プラグ８を器体１内から外に回動させ水平姿勢にすると（すなわち１８０°回動させると）、壁面等に設けられたコンセント（図示せず）にプラグ８を差し込むことにより、器体１が壁面に保持され、同時に超音波発振機６やファン７の駆動源への通電が可能となる。
【００２０】
また、回動プラグ８を器体１内から垂直姿勢に回動すると（すなわち９０°回動させると）、床面や机上等に設置されたテーブルタップにプラグ８を差し込んで器体１を保持させ、かつ超音波発振機６やファン７の駆動源への通電が可能となる。そして、未使用時には、回動プラグ８を回動させて器体１内に収納すればよい。このため、この実施形態にかかる害虫防除装置は、手軽に持ち運びでき、使用も容易である。
【００２１】
なお、前記害虫防除液４としては、例えば水溶性害虫防除剤を水に溶解させた害虫防除剤水溶液があげられる。水溶性害虫防除剤としては、害虫に対して殺虫ないし忌避作用があり、かつ液溶性であれば特に限定されず、好ましくは蒸気圧が１×１０−３〜１×１０−９ｍｍＨｇ、より好ましくは１×１０−５〜１×１０−８ｍｍＨｇであるのがよい。このような害虫防除剤としては、例えば１−メチルー２−ニトロー３−［（３−テトラヒドロフリル）メチル］グアニジン、Ｎ―［クロロー３−ピリジルメチル］−Ｎ−エチルーＮ−メチルー２−ニトロビニリデンジアミン、３−［（２−クロロー５−チアゾリル）メチル］−５−メチルーニトロイミノテトラヒドロー１，３，５−オキサジアジン」などが挙げられる。他の害虫防除剤として、原体が固体、結晶、液状、液体を問わず、実施可能な限りピレスロイド系化合物の除虫菊エキス、ピレトリン、ｄ−アレスリン、フタルスリン、フラメトリン、プラレトリン、テラレスリン、レスメトリン、ペルメトリン、フェノトリン、サイペルメトリン、サイフェノトリン、トランスフルスリン、フェンフルスリン、エンペントリン、およびこれらの異性体、類縁体、誘導体、有機リン系化合物のピリミホスメチル、フェニトロチオン、ピリダフェンチオン、カーバメート系化合物のプロポクスル、カルバリル、オキサジアゾール系化合物のメトキサジアゾン、Ｓ−１２９５、Ｓ−４１３１１、フィプロニールなどの殺虫・殺ダニ剤や、メトプレン、Ｓ−ハイドロプレン、ピリプロキシフェン、２−［１−メチルー２−（フェノキシフェノキシ）エトキシ］ピリジンなどの昆虫幼若ホルモン、ジフルベンズロン、テフルベンズロンなどのキチン形成阻害剤、アミド系化合物のデイートなどの害虫忌避剤を例示できる。
なお、前記化合物の原体自体若しくはこれに添加物を添加しただけの添加原体を用いてもよい。
また、害虫防除液４中の害虫防除剤濃度は０．３〜３０重量％、好ましくは０．５〜１０重量％であるのがよい。
【００２２】
また、害虫防除液４としては、水溶性害虫防除剤の他に、薬剤を各種溶媒（有機溶剤、界面活性剤）に溶解させた溶液や、水に乳化ないし分散させた水性液も使用可能である。また、害虫防除液に、例えば芳香剤、潤滑剤、殺菌剤、色素、保湿剤、安定剤、揮散調整剤、防腐剤、酸化防止剤などの添加剤を含有させることもできる。
【００２３】
＜第２の実施形態＞
本発明の第２の実施形態を図２に示す。図２は本発明にかかる吊り下げ方式の害虫防除装置を示している。すなわち、この害虫防除装置は、室内の天井９から器体１０を吊り紐１１で吊り下げたものである。器体１０の中には、害虫防除液４を入れた収容体１２が設置され、この収容体１２内の害虫防除液４に第１吸液材１３の下部が浸漬される。第１吸液材１３の上部は第２吸液材１４に接触して、下部から吸液した害虫防除液４を第２吸液材１４に供給している。この実施形態にかかる害虫防除装置は、洋服タンスなどの衣類収納庫の中に吊り下げて衣類用防虫剤として用いてもよい。
【００２４】
第２吸液材１４は超音波発振機１５の振動子に接触している。超音波発振機１５は器体１０の天板１０ｃに取付けられている。器体１０は、周囲壁１０ａおよび底板１１ｂが網、多孔板などのメッシュ状の通気材で構成されており、天板１０ｃは非通気材で構成されている。
【００２５】
従って、器体１０の内外は天板１０ｃを除き連通しているため、室内の空気の流れが器体１０内にも流通する空気流路が形成されている（空気の流れ方向を矢印Ｂで示す）。このため、超音波によって第２吸液材１４から霧化した薬剤の微粒子は、天井近くの高所に存在するため、ファンを使用しなくても気流に乗って室内に広く拡散する。このため、害虫防除効力を飛躍的に向上させることができ、かつ装置も小型化できる。また、必要に応じて、器体１０内で生じる熱を有効利用できるように器体を構成することもできる。すなわち、超音波発振機１５自体やその回路などから発生する熱によって器体１０内に上昇気流の流路が生じるようにしてもよい。
【００２６】
前記第１吸液材１３および第２吸液材１４としては、表面張力の大きな材質、例えばフェルト、スポンジ、綿、多孔質材（例えば、炭素質微粉末を主体とし、これと結着剤との混合物からなる成形体）などを使用することができる。なお、図２において、器体１０内には、必要に応じてファンを設けてもよい。その他は第１の実施形態と同様である。
【００２７】
＜第３の実施形態＞
本発明の第３の実施形態を図３に示す。図３は本発明にかかる壁掛け式の害虫防除装置を示している。すなわち、この害虫防除装置は、室内の壁面１６（柱等を含む、以下同じ）に固定した引っ掛け具１７に引っ掛けるための孔１８を有する係止部１９を器体２０の背面に設けたものである。器体２０は、上下に通気口２１，２２を有する筒形で構成され、内部には上から順に害虫防除液４を入れた収容体２３およびファン２４が設置されている。収容体２０の底部には超音波発振機２５が付設されている。超音波発振機２５は収容体２３の底部に接触する振動子を有しており、振動子の振動に伴ない収容体５内の害虫防除液４を霧化させる。通気口２１，２２は、網、多孔板などのメッシュ状の通気板で塞がれていてもよい。
【００２８】
また、器体２０の外周面部の適宜な位置には、先端にプラグ２６が取付けられた電源コード２７の後端に取付けられた磁石式接続具２８を磁力により着脱自在に装着し通電するための受け口２９が設けられる。
【００２９】
この実施形態においても、害虫防除液４から霧化した薬剤の微粒子をファン２４によって室内に広く拡散させるための空気流路が形成されている（器体２０内の空気の流れを矢印Ｃで示す）。さらに、この装置は壁掛け式で電源コード２７も着脱自在であるため取り扱いが容易である。また、器体２０内で生じる熱を有効利用できるようにして、ファン２４を省略してもよい。これにより、装置の小型化が可能となる。すなわち、超音波発振機２５やその回路などから発生する熱によって器体２０内に上昇気流が生じさせることができる。さらに、ファン２４を省略して、室内の比較的高い箇所に壁掛けすれば、より効果的である。その他は第１の実施形態と同様である。
【００３０】
＜第４の実施形態＞
本発明の第４の実施形態を図４に示す。この実施形態にかかる害虫防除装置は、図４に示すように、箱形の器体３０に下部および上部通気口３１，３２を設けると共に、内部に薬液滴下式収容体３３が吊り下げられ、底部には超音波発振機２５が取付けられている。この超音波発振機２５は上部に振動子を有しており、この振動子の上部に収容体３３から滴下した害虫防除液を受ける受け皿３５が設置される。受け皿３５としては、収容体のほか、吸液材を用いてもよい。
【００３１】
収容体３３は下部にノズル３６が取付けられ、これにチューブ３７を介して、受け皿３５に臨む供給針３８が装着される。チューブ３７はゴム、プラスチック材などの可撓性材料から構成されており、図４に示すような直線状のほか、スパイラル状などの任意の形状をとることができる。供給針３８は、図示しない針支持体によって器体３０の壁面等に固定されているのが好ましい。
【００３２】
また、下部通気口３１の内方にはファン３９が取付けられているので、受け皿３５で霧化した薬剤の微粒子をファン２４によって室内に広く拡散させるための空気流路が形成されている（器体３０内の空気の流れ方向を矢印Ｄで示す）。この実施形態にかかる害虫防除装置は、下部通気口３１が器体３０の一面等に設けられているので床や机の上に置いて使用するのに適している。また、器体３０内で生じる熱を有効利用できるようにして、ファン３９を省略してもよい。すなわち、超音波発振機３４やその回路などから発生する熱によって器体３０内に上昇気流を生じさせることができる。さらに、ファン３９を省略して、室内の比較的高い箇所に壁掛けすれば、より効果的である。その他は第１の実施形態と同様である。
【００３３】
＜第５の実施形態＞
本発明の第５の実施形態を図５に示す。この実施形態にかかる害虫防除装置は、図５に示すように、下部および上部通気口４１，４２を有する筒形の器体４０内に超音波発振機（振動子）４３付き収容体４４を設け、さらに熱源４５を設けたものである。
【００３４】
熱源４５としては、例えば電熱ヒーターなどであってもよいが、超音波発振機（振動子）４３を駆動させるための回路、接続線、接続端子、前記発振機４３自体などを利用することもできる。すなわち、上記回路、接続端子、前記発振機４３などは、超音波発振機４３の駆動時に発熱するので、この熱を有効利用できるように、器体４０が前述のように構成されている。
【００３５】
このように収容体４４内には上下方向に空気の流路が形成されているため、収容体４４内に熱源４５を設けることにより、ファンを使用しなくても、矢印Ｅで示すように器体４０内に上昇気流が発生する。このため、器体４０の上部通気口４２から排出された薬剤粒子は、そのまま上昇気流に乗って室内の高所に運ばれ、室内に広く拡散される。また、ファンを使用しないので、装置の小型化が可能となる。なお、必要に応じて、熱源４５とファンとを併用してもよい。さらに、回路が空気の流路内にあることで、回路が過熱状態となるのを回避することもできる。その他は第１の実施形態と同様である。
【００３６】
＜第６の実施形態＞
本発明の第６の実施形態を図６に示す。この実施形態にかかる害虫防除装置は、図６に示すように、両端に通気口４６，４７を有する筒形の器体４８内に超音波発振機（振動子）４９付き収容体５０を設け、さらに吸気側通気口４７にルーバー５１への取付け部５２を設けたものである。通気口４６，４７は網、多孔板などのメッシュ状の通気材で構成されている。
【００３７】
ルーバー５１は複数枚の可動式羽根板５１ａからなる。また、取付け部５２は、２枚の羽根板５１ａ、５１ａ間にばね圧で挟持されるように外向きに付勢された板ばねなどのばね材で形成されている。取付け部５２は軸５２ａを中心に回動し、羽根板５１ａの水平姿勢および垂直姿勢のいずれにも適応することができる。また、９０°ごとの左右回動位置で固定することができる。このため、縦向きおよび横向きのいずれのルーバーにも対応できる。
【００３８】
また、軸５２ａは伸縮自在の充分な長さのものとすることで、ルーバー５１が凸面や傾斜面を有している時でも、器体４８は床面に対し略垂直になるように設置することもできる。また不使用時は軸５２ａを短くコンパクトに出来る。
【００３９】
ルーバー５１はエアーコンディショナーなどの空気吹出口に取り付けられるものである。このため、前記した実施形態に記載のように、器体内にファンや熱源を設ける必要がなく、ルーバー５１から吹き出る気流（矢印Ｆで示す）が器体４８内の流路を通過して、収容体５０から霧化した薬剤の微粒子を室内に広く拡散させることができる。前記エアーコンディショナーとしては、車、家などの居住空間で使用するものを指している。その他は第１の実施形態と同様である。
【００４０】
＜第７の実施形態＞
本発明の第７の実施形態を図７に示す。この実施形態にかかる害虫防除装置は、図７に示すように、扇風機の前面カバー５３に掛け具５４を係止させて、器体５６をカバー５３の前面に保持させるようにしたものである。掛け具５４は先端にバネ圧で器体５６側に付勢された係止片５５を備える。一方、器体５６内には超音波発振機（振動子）４９付き収容体５０が設けられている。
【００４１】
前面カバー５３はワイヤー等でメッシュ状等に形成されているので、このワイヤーに前記係止片５５を引っ掛けて、図７に示すように器体５６を保持する。この状態で扇風機を駆動させると、送風の気流（矢印Ｇで示す）が器体５６内の流路を流通し、これによって収容体５０から霧化した薬剤の微粒子を室内に広く拡散させることができる。その他は第１の実施形態と同様である。
【００４２】
＜第８の実施形態＞
本発明の第８の実施形態を図８に示す。この実施形態にかかる害虫防除装置は、図８に示すように、上下に通気口５８，５９を有する筒形の器体５７の内部に、害虫防除液４を入れた収容体６０が設置されたものであって、収容体６０の内部には超音波発振機６１が浸漬されている。また、収容体５の下方にはファン６２が設けられている。
【００４３】
このため、収容体６０内の超音波発振機６１の振動に伴ない収容体６０内の害虫防除液４が霧化して収容体から飛散し、ファン６２によって矢印Ｈで示すように上向きに収容体６０から排出され、室内に拡散される流路が形成される。その他は第１の実施形態と同様である。
【００４４】
＜第９の実施形態＞
本発明の第９の実施形態を図９に示す。この実施形態にかかる害虫防除装置は、図９に示すように、上下に通気口６３，６４を有する器体６５の内部に、害虫防除液４を入れた収容体６６を倒立させて設置し、収容体６６の先端に吸液材６７を設け、この吸液材６７に害虫防除液４を浸透させている。収容体６６から延設された吸液材６７には超音波発振機６８の振動子が接触している。また、収容体６６の下方にはファン６９が設けられている。
【００４５】
このように構成したため、超音波発振機６８の振動子が振動することにより、吸液材６７内の害虫防除液が霧化して吸液材６７から飛散し、ファン６９によって矢印Ｉで示すように上向きに器体６５から排出される空気流路が形成され、室内に拡散される。その他は第１の実施形態と同様である。
【００４６】
＜第１０の実施形態＞
本発明の第１０の実施形態を図１０に示す。この実施形態にかかる害虫防除装置は、図１０に示すように、横向きにした筒形の器体７０の底部に脚部７１を設けて床面７２等に載置するようにしたものである。器体７０の内部には害虫防除液４を入れた収容体７３が設置される。この収容体７３は上面に開口部７５を有するカバー７４を有する。収容体７３の設置部位に対応する器体７０の外面部には超音波発振機７６の振動子が接触している。超音波発振機７６は、流路を出来るだけ大きくすることを考慮して器体７０の外面部に取り付けられた外ケース７７内に収容されている。また、器体７０の内部にはファン７８も設置されている。前記脚部７１は長さ調整自在にして、器体７０の排気側開口７９が吸気側開口８０よりも高い位置にあるように器体７０を上方に傾斜させるのが好ましい。
【００４７】
このように構成したため、超音波発振機７６の振動子を振動させることにより、収容体７３内の害虫防除液４が霧化してカバー７４の開口部７５から飛散し、ファン７８によって矢印Ｊで示すように器体７０の排気側開口７９から排出される空気流路が形成され、室内に拡散される。また、器体７０は上面がカバー７４で覆われているので、器体７０を傾斜させても、器体７０から害虫防除液４が霧化するのを妨げることなく、害虫防除液４がこぼれるのを防止することができる。この実施形態にかかる害虫防除装置は、箪笥の上など高い箇所に置き、器体７０の角度を調整してより効率よく拡散させることも出来る。また、器体７０には吊り下げ手段および／または壁掛け手段を設けてもよい。その他は第１の実施形態と同様である。
【００４８】
なお、超音波霧化装置を使用した害虫防除方法が、害虫防除に有効であることは、本出願人が先に出願した特願２００２−２９６６９２で明らかにしている。
【００４９】
また、本発明装置は、例えばゴキブリ、ハエ、蚊、ヌカカ、アブ、ノミ、ナンキン虫などの衛星害虫ないし吸血害虫、イガ、コイガなどの衣類害虫、コクヌストモドキ、コクゾウムシなどの貯穀害虫、イエダニ、ツメダニ、コナダニなどのダニ類、クモ類、アリ、シロアリ、ナメクジ、ワラジムシ、ダンゴムシ、カメムシ、ムカデ、ゲジゲジ、蜂、ブユなどの害虫防除に適用可能である。したがって、本発明装置は、様々な場所で使用可能であり、例えば家庭内の居室、台所、食堂；畜舎、犬小屋、農園芸ハウス；押入れ、タンスなどの衣類等収納庫、植物収納庫などで好適に使用することができる。
【００５０】
【発明の効果】
本発明の害虫防除装置によれば、超音波発振機によって揮散した薬剤を広範囲に拡散させることができるため、従来の超音波発振機を利用した害虫防除装置に比べて高い害虫防除効果が得られるという効果がある。
また、室内の気流や、熱源などを利用して器体内の空気流路に上昇気流を利用して薬剤を室内に拡散させるようにすると、装置の小型化をも図ることができる。
【図面の簡単な説明】
【図１】本発明の第１の実施形態にかかる害虫防除装置を示す断面図である。
【図２】本発明の第２の実施形態にかかる害虫防除装置を示す断面図である。
【図３】本発明の第３の実施形態にかかる害虫防除装置を示す断面図である。
【図４】本発明の第４の実施形態にかかる害虫防除装置を示す断面図である。
【図５】本発明の第５の実施形態にかかる害虫防除装置を示す断面図である。
【図６】本発明の第６の実施形態にかかる害虫防除装置を示す断面図である。
【図７】本発明の第７の実施形態にかかる害虫防除装置を示す断面図である。
【図８】本発明の第８の実施形態にかかる害虫防除装置を示す断面図である。
【図９】本発明の第９の実施形態にかかる害虫防除装置を示す断面図である。
【図１０】本発明の第１の実施形態にかかる害虫防除装置を示す断面図である。
【符号の説明】
１：器体、２：通気口、３：通気口、４：害虫防除液、５：収容体、６：超音波発振機、７：ファン、８：回動プラグ、１０：器体、１２：収容体、１３：吸液材、１４：吸液材、１５：超音波発振機、２０：器体、２３：収容体、２４：ファン、２５：超音波発振機、２７：コード、３０：器体、３３：収容体、３４：超音波発振機、３５：受け皿、３８：供給針、３９：ファン、４０：器体、４３：超音波発振機、４４：収容体、４５：熱源、４８：：器体、４９：超音波発振機、５０：収容体、５１：ルーバー、５３：前面カバー、５４、掛け具、５６：器体、５７：器体、６０：収容体、６１：振動子、６２：ファン、６５：器体、６６：収容体、６７：吸液材、６８：超音波発振機、６９：ファン、７０：器体、７１：脚部、７３：収容体、７４：カバー、７５：開口部、７６：超音波発振機、７８：ファン
【図１】
2004236508.tif 000003
【図２】
2004236508.tif 000004
【図３】
2004236508.tif 000005
【図４】
2004236508.tif 000006
【図５】
2004236508.tif 000007
【図６】
2004236508.tif 000008
【図７】
2004236508.tif 000009
【図８】
2004236508.tif 000010
【図９】
2004236508.tif 000011
【図１０】
2004236508.tif 000012